(57)【特許請求の範囲】
【請求項１】
操作パネル面を有する金属製のハウジングが、第１の端板と、該第１の端板に着脱可能に取り付けられ、前記第１の端板と交差する方向に沿う第２の端板とを備えるとともに、前記第１の端板に、該第１の端板の外表面の少なくとも一部を覆う樹脂製のカバーが取り付けられ、該カバーにおける前記第１の端板と対向する内面に突起部が形成され、前記第１の端板に、前記突起部を該第１の端板の表面に沿ってスライド可能に挿入する長穴が形成され、前記突起部の先端部には、該突起部が前記長穴の一端部に配置されたときに該長穴の周縁部における前記第１の端板の内面に当接するフック部が、前記突起部の挿入方向と直交する方向に突出形成され、前記第２の端板には、前記突起部が前記長穴の前記一端部に配置された状態で前記カバーに当接して前記長穴の他端部方向に向かう前記カバーのスライドを拘束する押さえ部が設けられていることを特徴とする音響調節器の筐体構造。
【請求項２】
前記カバーの端部に、前記スライド方向に突出する爪部が設けられるとともに、前記第２の端板に、前記押さえ部が前記カバーに当接した状態で前記爪部を係止する孔部が形成されていることを特徴とする請求項１記載の音響調節器の筐体構造。
【請求項３】
前記第１の端板は前記ハウジングの側板を構成するとともに、前記第２の端板は前記ハウジングの底板を構成しており、前記長穴は前記第１の端板の上下方向に沿って形成され、前記一端部は上端部であり、前記第２の端板の前記押さえ部は前記カバーの下端に当接することを特徴とする請求項１又は２記載の音響調節器の筐体構造。
【請求項４】
前記カバーにおける前記対向する内面の前記突起部とは異なる位置に、弾性変形可能な第２突起部が形成され、前記第１の端板に、前記第２突起部を前記突起部と同じ方向にスライド可能に挿入する第２長穴が形成され、該第２長穴は、そのスライド方向の途中位置に、前記第２突起部を半径方向に圧迫して縮径するくびれ部が形成され、前記くびれ部を通過した前記第２突起部が前記第２長穴の一端部に嵌合されることを特徴とする請求項１から３のいずれか一項記載の音響調節器の筐体構造。
【発明の詳細な説明】
【技術分野】
【０００１】
本発明は、オーディオ用のミキサ装置やレコーダ装置等に使用される音響調節器の筐体構造に関する。
【背景技術】
【０００２】
一般に、オーディオ用のミキサ装置やレコーダ装置等に使用される音響調節器においては、外部からの電界や磁界のシールドのために、筐体を構成するハウジングが金属板によって構成される。また、この金属製ハウジングからなる筐体の意匠性、取扱い性を向上させるなどの目的で、筐体の一部に樹脂製のカバーが用いられる。
例えば、特許文献１に記載の電気機器は、機器本体のシャーシが、金属板を折り曲げて構成され、その側板部の表面に、弾性プラスチックまたは合成ゴムにより形成された側板ユニット板がねじ止めされている。
また、特許文献２に記載のオーディオ機器では、筐体（金属製ハウジング）の両側面に、樹脂製のサイドパネルが取り付けられている。この場合、サイドパネルの内面に設けたＬ字状リブと凸状リブを、筐体の側面に設けた長穴と凹状絞り部に嵌合させ、側面に沿ってスライドさせることで、サイドパネルを筐体にワンタッチで取り付けることができると記載されている。
【０００３】
特許文献３には、樹脂により箱型に形成されたシャーシの上方がキャビネットで覆われ、そのキャビネットの両側板に、サイドパネルを固定した金属製の板状部材が取り付けられた構成のものが示されている。この特許文献３においても、板状部材にはＬ字形状の折曲片が設けられ、キャビネットの側板の長孔に係合している。そして、その係合状態で、板状部材、キャビネットの側板、シャーシがねじにより固定されている。
一方、特許文献４記載の音響調節器の筐体構造は、金属製の上部ユニットと合成樹脂で成形された下側ケースとにより構成されている。上部ユニットは、その上面に操作面が形成され、下側ケースは、前板部、背板部、左側板部、右側板部及び底板部を有し、この下側ケースの上方を上部ユニットで覆うように装着される。
【先行技術文献】
【特許文献】
【０００４】
【特許文献１】実公平１‐４３８９３号公報
【特許文献２】実開平５‐２３５７２号公報
【特許文献３】実公平７‐１３２６０号公報
【特許文献４】特開２００８‐２０５５８２号公報
【発明の概要】
【発明が解決しようとする課題】
【０００５】
金属製ハウジングの一部に樹脂製のカバーを取り付ける場合、特許文献１記載のようにねじ止めするのでは、ねじが外観の意匠性を損なうため好ましくない。また、特許文献２や特許文献３記載のように、リブ等を突設しておき、ハウジングに嵌合等によって固定する構造の場合、着脱操作は容易になるが、上面の操作パネル面での操作の際などに外力が作用すると外れてしまうおそれがある。
また、特許文献４記載の音響調節器は、合成樹脂により下側ケースが一体に形成されているので、意匠性に優れるが、別途シールド板を設ける必要がある。
【０００６】
本発明は、このような事情に鑑みてなされたもので、カバーを樹脂製として意匠性を向上させるとともに、カバーのハウジングへの取り付けが容易であり、かつ上面の操作パネル面での操作等の際にもカバーが簡単には外れることがない音響調節器の筐体構造を提供することを目的とする。
【課題を解決するための手段】
【０００７】
本発明の音響調節器の筐体構造は、操作パネル面を有する金属製のハウジングが、第１の端板（実施形態では側板）と、該第１の端板に着脱可能に取り付けられ、前記第１の端板に交差する方向に沿う第２の端板（実施形態では底板）とを備えるとともに、前記第１の端板に、該第１の端板の外表面の少なくとも一部を覆う樹脂製のカバー（実施形態ではサイドカバー）が取り付けられ、該カバーにおける前記第１の端板と対向する内面に突起部（実施形態では第１突起部）が形成され、前記第１の端板に、前記突起部を該第１の端板の表面に沿ってスライド可能に挿入する長穴（実施形態では第１長穴）が形成され、前記突起部の先端部には、該突起部が前記長穴の一端部に配置されたときに該長穴の周縁部における前記第１の端板の内面に当接するフック部が、前記突起部の挿入方向と直交する方向に突出形成され、前記第２の端板には、前記突起部が前記長穴の前記一端部に配置された状態で前記カバーに当接して前記長穴の他端部方向に向かう前記カバーのスライドを拘束する押さえ部が設けられていることを特徴とする。
【０００８】
この筐体構造にあっては、金属製のハウジングの第１の端板に樹脂製のカバーが取り付けられることにより、意匠性を向上させることができる。
そして、そのハウジングにカバーを取り付ける際には、カバーの突起部を第１の端板の長穴に挿入して、その長穴に沿ってカバーをスライドさせ、長穴の一端部に突起部を配置させると、突起部先端のフック部が第１の端板の内面に当接する。この状態では、突起部は、長穴の一端部に当接しているので、それ以上の一端部方向へのスライドが拘束されるとともに、フック部が第１の端板の内面に当接しているので、突起部を長穴から引き抜くことはできず、抜け止めされた状態となる。ただし、長穴の他端部方向に突起部をスライドさせることは可能であり、スライドさせることにより、フック部が第１の端板内面への当接状態から外れて長穴から引き抜くことができる。そこで、突起部が長穴の一端部に配置されて抜け止めされた状態で、第２の端板を取り付けることにより、第２の端板の押さえ部がカバーに当接して、長穴の他端部方向へのスライドを拘束することができる。
【０００９】
つまり、この筐体構造においては、カバーの突起部を第１の端板の長穴に挿入してスライドさせ、長穴の一端部に突起部を配置させた状態で第２の端板を取り付けることにより、ねじ止め等の締結具を用いた手段によらずに、樹脂製のカバーを金属製のハウジングに固定することができ、この組立状態では、カバーはフック部により長穴から引き抜けることが防止され、第２の端板の押さえ部によりスライドが拘束された状態となるので、不用意に外れるようなことはない。
この場合、第１の端板は、ハウジングの上面、底面、側面、前面、後面のいずれの表面を構成するものであってもよく、第２の端板は、第１の端板に対して交差する方向に配置されるものであればよい。例えば、ハウジングの上面を第１の端板で構成する場合は、第２の端板は、上面と交差する側面、前面、後面のいずれかの表面を構成するものであればよく、第１の端板が側面を構成する場合には、第２の端板は、上面、底面、前面、後面のいずれかの表面を構成するものとすることができる。
【００１０】
本発明の音響調節器の筐体構造において、前記カバーの端部に、前記スライド方向に突出する爪部が設けられるとともに、前記第２の端板に、前記押さえ部が前記カバーに当接した状態で前記爪部を係止する孔部が形成されているとよい。
【００１１】
第２の端板は、その押さえ部がカバーに当接して、カバーのスライドを拘束するとともに、爪部を孔部に係止させることにより、第１の端板の表面から離れる方向へのカバーの移動をも拘束することができる。
【００１２】
本発明の音響調節器の筐体構造において、前記第１の端板は前記ハウジングの側板を構成するとともに、前記第２の端板は前記ハウジングの底板を構成しており、前記長穴は前記第１の端板の上下方向に沿って形成され、前記一端部は上端部であり、前記第２の端板の前記押さえ部は前記カバーの下端に当接するとよい。
【００１３】
カバーの突起部を第１の端板の長穴に挿入した後、カバーを第１の端板に対して上方向にスライドさせて突起部を長穴の上端部に配置する。この状態では、カバーは、突起部が長穴の上端部に配置されているので、上方への移動は拘束されるが、下方へのスライドは可能である。そして、この状態でハウジングの底板となる第２の端板を取り付けることにより、第２の端板の押さえ部がカバーの下端に当接して、カバーの下方への移動も拘束した状態となり、カバーが筐体に一体に固定される。このため、この音響調節器の両側部を両手で持って運ぶ際などに、樹脂製のカバーを不用意に脱落させることがない。
【００１４】
本発明の音響調節器の筐体構造において、前記カバーにおける前記対向する内面の前記突起部とは異なる位置に、弾性変形可能な第２突起部が形成され、前記第１の端板に、前記第２突起部を前記突起部と同じ方向にスライド可能に挿入する第２長穴が形成され、該第２長穴は、そのスライド方向の途中位置に、前記第２突起部を半径方向に圧迫して縮径するくびれ部が形成され、前記くびれ部を通過した前記第２突起部が前記第２長穴の一端部に嵌合される構成としてもよい。
【００１５】
第２突起部が第２長穴のくびれ部を通過する際に抵抗が生じるので、くびれ部を通過させて第２突起部を一端部に配置した状態とすることにより、第１の端板とカバーとの逆方向へのスライドを規制して仮止め状態とすることができる。したがって、筐体の組立作業時において、第１端板とカバーとが不用意に外れてしまうことを防止して、組立作業性を向上させることができる。
【発明の効果】
【００１６】
本発明の音響調節器の筐体構造によれば、樹脂製のカバーにより意匠性が向上するとともに、金属製ハウジングへの取り付けは突起部を第１の端板の長穴に沿ってスライドさせ、第２の端板を取り付けるという簡単な作業であり、また、その取り付け状態においては、フック部が長穴内に係止した状態であり、操作パネル面での操作等の際などにカバーに外力が作用しても簡単に外れることはない。
【図面の簡単な説明】
【００１７】
【図１】本発明の一実施形態に係る音響調節器の筐体における側板とサイドカバーとの分解斜視図である。
【図２】側板の各長穴にサイドカバーの突起部を挿入した状態を側板の内面側から見た正面図である。
【図３】図２に示す状態から、サイドカバーを上方にスライドさせて側板に仮固定した状態を示す正面図である。
【図４】側板の長穴とサイドカバーの突起部との嵌合状態の拡大図であり、（ａ）が第１突起部と第１長穴、（ｂ）が第２突起部と第２長穴を示す。
【図５】音響調節器の分解斜視図である。
【図６】音響調節器の底板を分離した状態の底面側から見た斜視図である。
【図７】音響調節器全体の外観を示す斜視図である。
【図８】図７のＡ−Ａ線に沿う一部を省略した拡大縦断面図である。
【発明を実施するための形態】
【００１８】
以下、本発明の実施形態を、図面を参照して説明する。
図７は、本発明の一実施形態に係る音響調節器１の外観を示す図であり、いわゆるアナログミキサ装置として構成されるものである。また、音響調節器１は、電子音響機器を制御する音響調節器であって、上面の操作パネル面１１に複数の操作子１２及び入出力端子１３を有し、図示は省略するが、入出力端子１３にオーディオケーブル等を着脱自在に接続し、当該オーディオケーブル等を介して他の電子音響機器に接続された状態で使用される。なお、操作子１２及び入出力端子１３は、操作パネル面１１のほぼ全面に設けられるが、図面では一部のみ記載し、破線で省略した。
【００１９】
音響調節器１は、卓面上等に設置して据え置き使用されるものであり、音響調節器１の上下方向は据え置き使用時におけるものとする。また、音響調節器１の使用時においては、音響調節器１の操作パネル面１１の前方側（図７の左下側）にユーザ（操作者）が位置する。したがって、以降、特に断らないときは、操作パネル面１１の前方側を音響調節器１の前側、操作パネル面１１の後方側（図７の右上側）を音響調節器１の後側とする。
【００２０】
音響調節器１は、上面側に操作パネル面１１、下面側に複数の脚部１４を有する。
また、音響調節器１の筐体は、図５及び図６に示すように、アルミニウム等の金属製のハウジング２１と、その両側部に取り付けられた樹脂製のサイドカバー（カバー）２２とから構成されている。
ハウジング２１は、操作パネル面１１を構成する上側カバー２６と、この上側カバー２６の両側部に配置される一対の側板（第１の端板）２７と、これら上側カバー２６及び両側板２７により囲まれる空間の下方を閉塞する底板（第２の端板）２８とを備えている。
【００２１】
また、操作パネル面１１は、主として、前半部に操作子１２、後半部に入出力端子１３が配置されるようになっており、入出力端子１３の端子高さが操作子１２よりも高いことから、前後方向の途中位置で屈曲され、これら操作子１２及び入出力端子１３の端子高さに沿うように前半部よりも後半部が一段高く形成されている。また、音響調節器１の据え置き使用時において、後部側が高く（厚く）、前部側が低くなっており、ユーザにとって操作し易いように、操作パネル面１１全体が前部側に向かって下り勾配に傾斜して形成される。
なお、各種操作子１２及び入出力端子１３は、回路基板３４の上に取り付けられており、上側カバー２６の操作パネル面１１には、これら操作子１２や入出力端子１３を露出させるための複数の孔部３５が形成される。
【００２２】
側板２７は、図１〜図３に示すように、上側カバー２６の両側部に取り付けられるように、上端縁が操作パネル面１１の段部に合わせたクランク形状に形成され、また、高さ方向の中間位置で屈曲形成されることにより、上半部４１とこの上半部４１の下端に連続する下半部４２とが形成されている。この場合、下半部４２は前端から後端に向けて漸次広がる三角形板状に形成され、上側カバー２６に取り付けられたときに、上半部４１が上側カバー２６に直角に配置されるのに対して、下半部４２は、上側カバー２６の後端部２４の下端部の幅が前端部２５の下端の幅より小さくなっていることに対応して、下方に向かうにしたがって後端部にいくほど、ハウジング２１の内方にくい込むように傾斜して配置される。
【００２３】
また、両側板２７の上半部４１には、後述するサイドカバー２２の第１突起部５１を挿入する第１長穴５２、第２突起部５３を挿入する第２長穴５４がそれぞれ上下方向に沿って形成されている。さらに、両側板２７の下半部４２の下端部には、孔部５５が、前後方向に相互間隔をあけて複数形成されている。
また、上半部４１の内面側には、回路基板３４の側縁部を挟持状態に保持する上下一対の支持片５６が前後方向に並んで複数対設けられている。
【００２４】
この側板２７に取り付けられるサイドカバー２２は、側板２７の外面形状に合わせて、上半部６１と下半部６２とに屈曲状態に形成されており、その下半部６２は側板２７の下半部４２に合わせて三角形状に形成されている。また、サイドカバー２２の前端部は、ほぼ板状に形成されるが、後端部は上半部６１と下半部６２との間を連結するように後部壁６３が一体に形成されている。
【００２５】
また、サイドカバー２２の上半部６１に、側板２７の各長穴５２，５４に挿入される複数の第１突起部５１、第２突起部５３が設けられている。側板２７の第１長穴５２に挿入されるサイドカバー２２の第１突起部５１は、その先端部に板片状のフック部６４が一体に形成されている。このフック部６４は第１突起部５１の突出方向と直交する方向に広がっており、第１突起部５１の基端部に対して幅広に形成される。一方、側板２７の第２長穴５４に挿入されるサイドカバー２２の第２突起部５３は、縦割りスリーブ状に形成され、半径方向に圧迫されると縮径するように弾性変形する。この場合、縦割りスリットは上下方向に沿って形成されており、上下方向と直交する前後方向に圧迫されることにより、縮径される構成である。
【００２６】
第１突起部５１を挿入する側板２７の第１長穴５２は、図４（ａ）に示すように、その上端部５２ａが狭く、下端部５２ｂが広く形成され、その広い下端部５２ｂに第１突起部５１を先端のフック部６４から挿入し、第１長穴５２に沿って上方に向けてスライドさせることにより、上端部５２ａに嵌合する。このとき、第１突起部５１は、先端のフック部６４が第１長穴５２の裏側（側板２７の内面側）で第１長穴５２の周縁部における側板２７の内面に当接する。
【００２７】
一方、第２突起部５３を挿入する側板２７の第２長穴５４は、図４（ｂ）に示すように、上下方向の中間部に幅方向寸法を小さくするようにくびれ部５４ａが形成されており、第２突起部５３は、第２長穴５４の下端部５４ｂに挿入され、上方にスライドすると、くびれ部５４ａで縦割りスリーブが半径方向（前後方向）に圧迫されることにより縮径された状態となり、さらに上方にスライドすることにより、くびれ部５４ａを通過して第２長穴５４の上端部５４ｃに嵌合する。この上端部５４ｃは、くびれ部５４ａの幅よりは大きいが、下端部５４ｂよりも幅が小さく形成され、第２突起部５３は、幅方向にわずかに弾性変形された状態で上端部５４ｃに嵌合する。したがって、この第２突起部５３が第２長穴５４の上端部５４ｃに嵌合すると、側板２７とサイドカバー２２との前後方向に位置決めされ、側板２７に対してサイドカバー２２が下方に抜け止めされた状態となる。
【００２８】
なお、第１突起部５１が第１長穴５２の上端に当接したときには、第２突起部５３は第２長穴５４の上端からわずかに離間した状態に配置され、上下方向の位置決めは第１突起部５１のみでなされるようになっている。逆に、第１突起部５１は、第１長穴５２の上端部においても幅方向（前後方向）にはわずかに隙間が形成され、第２突起部５３が第２長穴５４内で圧迫されていることにより第２長穴５４の両側縁に密接され、第２長穴５４に直交する前後方向に対する位置決めがなされるようになっている。
【００２９】
また、図１に示すように、サイドカバー２２の下半部６２の下端には、前述した側板２７の孔部５５と同じ相互間隔をあけて複数の突出片６５が各突起部５１，５３と同じ方向（上半部６１の表面と直交する方向）に突出形成されており、各突出片６５の先端部の下面に、爪部６６が突出片６５の突出方向と直交する方向に突出形成されている。サイドカバー２２をハウジング２１に取り付けた状態では、突出片６５は、ハウジング２１の下面（底板２８の下面）で両側板２７の対向方向に向けて突出し、爪部６６は、下面から下方に向けて突出した状態となる。
【００３０】
底板２８は、上側カバー２６と両側板２７とにより囲まれた空間の下方を閉塞するものであり、上側カバー２６の前端部の幅よりも、後端部の幅が小さく形成されていることにより、図５及び図６に示すように、これらの幅に合わせて前端の幅より後端の幅が小さい台形状に形成されている。また、底板２８の両側部は、側板２７の下端部にそれぞれねじ止めにより固定される。このため、底板２８の周縁部に、上側カバー２６及び側板２７にねじ止めするためのねじ３２を挿通する複数の貫通孔３３が配設されている。
また、底板２８の両側部には、側板２７の孔部５５内に配置されているサイドカバー２２下端の突出片６５の爪部６６を係合する孔部６７が爪部６６と同じ相互間隔をあけて複数形成されている。
【００３１】
なお、音響調節器１内に配置される回路基板３４は、図８に示すように、その両側縁が側板２７の支持片５６の間に挿入状態に支持されるとともに、面内の複数個所でボス６８により上側カバー２６に固定される。
また、符号１２ａは操作子１２に取り付けられるつまみ部、符号７２は電源基板、符号７４は操作パネル面１１上に設けられるレベルメータ、符号７５は電源スイッチを示す。
【００３２】
このように構成された音響調節器１を組み立てる場合、回路基板３４の上面に操作子１２、入出力端子１３等の部品をはんだ付け等にて固定するとともに、回路基板３４の裏面に電源基板７２を固定した状態としておき、この回路基板３４の上方を覆うように上側カバー２６を被せ、ボス６８により回路基板３４を上側カバー２６に固定し、また、サイドカバー２２を一体化した状態の側板２７を上側カバー２６に取り付ける。このとき、回路基板３４の側縁を側板２７の支持片５６の間に挿入状態に固定する。
そして、これら上側カバー２６と側板２７とにより形成される空間を閉塞するように底板２８を取り付ける。
【００３３】
この組み立て作業において、側板２７とサイドカバー２２とを一体化する作業についてさらに詳細に説明する。
側板２７及びサイドカバー２２とも上半部４１，６１と下半部４２，６２とを揃えた状態で、側板２７の上半部４１の各長穴５２，５４に、サイドカバー２２の上半部６１の各突起部５１，５３を挿入する。この場合、各長穴５２，５４は、下端部が大きく形成されているので、各突起部５１，５３は長穴５２，５４の下端部にまず挿入する。この状態を図２、及び図４の実線で示している。
【００３４】
次いで、この図２、及び図４の実線に示す状態から、サイドカバー２２と側板２７とを上下方向に相対スライドすることにより、サイドカバー２２の両突起部５１，５３を側板２７の長穴５２，５４の上端部５２ａ，５４ｃに配置させる。この状態を図３、及び図４の二点鎖線に示す。この図３、及び図４の二点鎖線に示す状態では、第１突起部５１のフック部６４が第１長穴５２の裏側（側板２７の内面側）で第１長穴５２の周縁部における側板２７の内面に当接し、一方、第２突起部５３は、第２長穴５４の途中のくびれ部５４ａを通過する際に縦割りスリーブが半径方向に圧迫され、図４（ｂ）の矢印で示すように一端縮径された後に、くびれ部５４ａを通過して縮径状態が一部解放され、第２長穴５４の上端部５４ｃにわずかに弾性変形した状態で嵌合される。
このサイドカバー２２を側板２７に対して上方にスライドすることにより、サイドカバー２２の下端部の突出片６５が側板２７の孔部５５内に配置された状態となる。
【００３５】
これにより、サイドカバー２２は、第１突起部５１が第２長穴５２の上端に当接して、サイドカバー２２を上方に移動する方向のスライドが拘束されるとともに、幅広のフック部６４が側板２７の内面に当接して厚さ方向のガタが拘束され、さらに第２突起部５３の弾性力により前後方向のガタも拘束される。この図３に示す状態では、サイドカバー２２を下方に移動する方向のスライドは拘束されていないので、この図に示す状態から、サイドカバー２２を下方に向けてスライドすると、側板２７から離脱することが可能である。  
【００３６】
次に、このサイドカバー２２を一体化した側板２７と上側カバー２６とをネジ止め等にて固定する。この取り付け作業において、サイドカバー２２と側板２７とは、前述したようにサイドカバー２２を下方に向けてスライドすれば側板２７から離脱することが可能な状態であるが、サイドカバー２２の第１突起部５１のフック部６４が側板２７の裏面に当接し、かつ、第２突起部５３が第２長穴５４のくびれ部５４ａを通過して上端部５４ｃに嵌合しているので、サイドカバー２２を下方にスライドするには、側板２７とフック部６４との摩擦力や、くびれ部５４ａを通過させるための第２突起部５３の弾性力等に抗した力が必要である。言い換えれば、サイドカバー２２は側板２７に仮固定された状態であり、取り付け作業中にサイドカバー２２を側板２７から不用意に脱落させることが防止される。
【００３７】
このサイドカバー２２を一体化した側板２７を上側カバー２６に取り付けた状態とすると、これらにより囲まれた空間の下方が開放した状態となり、図６に示すように、上側カバー２６の下端部及び両側板２７の下端部が矩形の枠状に配置される。また、側板２７の下端部に形成された孔部５５内にサイドカバー２２の突出片６５が配置された状態となっている。
そして、底板２８の孔部６７に突出片６５下面の爪部６６を係合させた状態で、上側カバー２６及び両側板２７に囲まれた空間を閉塞するように底板２８を取り付け、これらをねじ止めすることにより、閉構造の筐体が組み立てられる。
【００３８】
このように組み立てられた筐体において、側板２７に固定したサイドカバー２２は、側板２７の長穴５２，５４内で上方へのスライド及び突起部５１，５３を長穴５２，５４から引き抜く方向の移動が拘束されているとともに、最後に取り付けられた底板２８がサイドカバー２２の突出片６５に当接状態となり、下方に向けた方向のスライドも拘束された状態となり、これにより、サイドカバー２２はいずれの方向への移動も拘束され、筐体に一体に組み込まれる。この底板２８の孔部６７の周辺でサイドカバー２２の突出片６５に当接する部分が本発明の押さえ部となり、この押さえ部がサイドカバー２２下端の突出片６５の裏面に当接した状態で爪部６６が孔部６７に係止される。この爪部６６は前述したように下方に向けて突出しているので、孔部６７内に係止されることにより、サイドカバー２２の下端部を側板２７から引き離す方向への移動も拘束される。
【００３９】
この音響調節器１は、卓面上等に置いて使用されるが、操作パネル面１１の操作子１２や入出力端子１３を操作する際等に、筐体上面の両側縁に手が触れるなどにより、サイドカバー２２の上端を側板２７から引き離す方向に外力が作用する場合があるが、この上端に近いサイドカバー２２の上半部６１が第１突起部５１のフック部６４により側板２７に固定されているので、簡単に外れるようなことはない。
また、持ち運ぶ際には両側部の下面に手を入れて卓面上から持ち上げる操作となり、その場合に、サイドカバー２２の下縁に側板２７から引き離す方向に外力が作用し易いが、サイドカバー２２の突出片６５下面の爪部６６が底板２８の孔部６７に係合しているので、上端の場合と同様に、簡単に外れるようなことはない。
このように、この筐体は、金属製のハウジング２１と樹脂製のサイドカバー２２とが一体化し、これらが強固に固定されているので、操作パネル面１１の各種操作や持ち運び等の際に、サイドカバー２２がハウジング２１から脱落してしまうようなことはない。
【００４０】
なお、本発明は、上記実施形態に限定されるものではなく、本発明の趣旨を逸脱しない範囲において種々の変更を加えることが可能である。
例えば、第1突起部５１のフック部６４を板片状に形成したが、第1突起部が第1長穴の一端部に配置されたときに、第1長穴の周縁部における側板の内面に当接するものであればよく、基端部に対して屈曲する先端部、あるいは基端部に対して大径の先端部などの形状とすることができ、第1突起部５１の突出方向に対して直交する方向に突出する形状であればよい。
また、側板２７を上側カバー２６にネジ止めしたが、ネジ止め以外の固定手段で固定してもよい。この場合、側板２７にサイドカバー２２を取り付けてから、側板２７を上側カバー２６にネジ止めしたが、側板２７を上側カバー２６にネジ止めした後にサイドカバー２２を側板２７に取り付けることも可能である。
さらに、側板は他の筐体部品と一体に形成してもよい。例えば、上側カバーと一体に形成し、上側カバーは端部で屈曲して連続的に側板が形成される構造としてもよい。また、上側カバー以外にも底板と側板とを一体に形成することも可能である。
【００４１】
また、側板及びサイドカバーを上半部と下半部とで屈曲した形状としたが、屈曲しない平板状に形成してもよい。前述の実施形態では、第１突起部と第１長穴、第２突起部と第２長穴のそれぞれの組み合わせを上半部のみに設けたが、側板及びサイドカバーを平板状に形成する場合は、第１突起部と第１長穴、第２突起部と第２長穴のいずれか一方又は両方の組み合わせを下半部にも配置することができる。
また、サイドカバーの爪部を底板（第２の端板）の孔部に係合することにより、サイドカバーのスライドを拘束する構造としたが、底板のサイドカバー端の少なくとも一部を上向きに折り曲げて、サイドカバーの下部に設けた溝に嵌めてねじ止めする構造としてもよい。
【００４２】
また、実施形態では左右両方の側板に本発明を適用したが、その一方のみに本発明を適用し、他方の側板には本発明とは異なる筐体構造を採用してもよい。さらに、本発明の第１の端板は、筐体の前面又は後面、操作パネル面、底面のいずれか一つの面又は複数の面に配置される場合も含むものとし、本発明の第２の端板は、その第１の端板に対して交差する方向の面に配置されるものとする。カバー（実施形態のサイドカバー）は、第１の端板の外表面の全面を覆うものだけでなく、表面の一部を覆うものであってもよい。
また、第２突起部と第２長穴とを設けて、上下方向の仮止め機能と、前後方向の位置決め機能とを備える構成としたが、これら第２突起部及び第２長穴を有していない構成も含むものとする。
また、上側カバーによる操作パネル面の前部側を後部側より低く形成したが、段差のないフラットな操作パネル面としてもよい。
さらに、側板の支持片により回路基板の周縁部を支持する構成としたが、この支持片による支持構造は必ずしも必要ではない。
【００４３】
なお、本発明の音響調節器としては、複数の操作子が配置された操作パネルを備えており、オーディオ信号に対する信号処理を、その操作子の操作に応じて制御するものであり、オーディオ信号のミキシング処理を行うアナログミキサやデジタルミキサ、ミキシング処理を行うミキサエンジンをリモート制御するコンソール、パーソナルコンピュータ（ＰＣ）に接続され、その PCで起動されたオーディオ処理アプリ（ＤＡＷなど）をリモート制御するフィジカルコントローラ等が含まれる。
【符号の説明】
【００４４】
１…音響調節器、１１…操作パネル面、１２…操作子、１２ａ…つまみ部、１３…入出力端子、１４…脚部、２１…ハウジング、２２…サイドカバー（カバー）、２６…上側カバー、２７…側板（第１の端板）、２７…側板、２８…底板（第２の端板）、３４…回路基板、３５…端子用孔部、４１…上半部、４２…下半部、５１…第１突起部（突起部）、５２…第１長穴（長穴）、５３…第２突起部、５４…第２長穴、５４ａ…くびれ部、５５…孔部、５６…支持片、６１…上半部、６２…下半部、６３…後部壁、６４…フック部、６５…突出片、６６…爪部、６７…孔部
【図１】
0005880505.tif 000002
【図２】
0005880505.tif 000003
【図３】
0005880505.tif 000004
【図４】
0005880505.tif 000005
【図５】
0005880505.tif 000006
【図６】
0005880505.tif 000007
【図７】
0005880505.tif 000008
【図８】
0005880505.tif 000009